(57)【要約】【課題】イメージセンサにより原稿を読み取る原稿読取装置において、ユーザが意図していない立体的構造を原稿として使用するときには、原稿上で使用されている素材の影がでないように読み取り、ユーザが意図している立体的構造を原稿として使用するときには、原稿上で使用されている素材の立体感をそのまま読み取る。【解決手段】イメージセンサを挟む２方向から原稿に光を照射して読取りを行う影無し読取りと、２方向のうちいずれか１方向のみから原稿に光を照射して読取りを行う前方影読取りまたは後方影読取りとを切り替え可能にする。【選択図】図３
2007318206.tif 000002
【特許請求の範囲】
【請求項１】
イメージセンサにより原稿を読み取る原稿読取方法において、
前記イメージセンサを挟む２方向から前記原稿に光を照射して前記読取りを行う２光源照射モードと、前記２方向のうちいずれか１方向のみから前記原稿に光を照射して前記読取りを行う１光源照射モードとを切り替え可能にしたことを特徴とする原稿読取方法。
【請求項２】
前記原稿と前記イメージセンサとの距離を大きくするとともに、前記１光源照射モードへの切り替えを行うことを特徴とする請求項１記載の原稿読取方法。
【請求項３】
前記１光源照射モードに切り替えられた際、さらに、前記２方向のうちのいずれか１方向からの光の照射を選択可能にしたことを特徴とする請求項１または２記載の原稿読取方法。
【請求項４】
前記１光源照射モードに切り替えられた際、該１光源照射モードの前記読取りによって前記イメージセンサにより取得された画像信号に、前記原稿の影画像に応じた影画像信号を伸ばす画像処理を施すことを特徴とする請求項１から３いずれか１項記載の原稿読取方法。
【請求項５】
原稿を読み取るイメージセンサと、前記原稿に対し、前記イメージセンサを挟む２方向から光を照射する２つの光源とを備えた原稿読取装置において、
前記２つの光源を用いて前記２方向から前記原稿に光を照射して前記イメージセンサによる読取りを行う２光源照射モードと、前記２つの光源のうちいずれか一方を用いて前記２方向のうちいずれか１方向のみから前記原稿に光を照射して前記イメージセンサによる読取りを行う１光源照射モードとを切り替え可能なモード切替手段を備えたことを特徴とする原稿読取装置。
【請求項６】
前記原稿と前記イメージセンサとの距離を大きくする距離変更機構をさらに備え、
該距離変更機構により前記原稿と前記イメージセンサとの距離を大きくするとともに、前記モード切替手段による前記１光源照射モードへの切り替えを行うことを特徴とする請求項５記載の原稿読取装置。
【請求項７】
前記モード切替手段により前記１光源照射モードに切り替えられた際、前記２方向のうちのいずれか１方向からの光の照射を選択可能な照射方向選択手段をさらに備えたことを特徴とする請求項５または６記載の原稿読取装置。
【請求項８】
前記モード切替手段により前記１光源照射モードに切り替えられた際、該１光源照射モードの前記読取りによって前記イメージセンサにより取得された画像信号に、前記原稿の影画像に応じた影画像信号を伸ばす画像処理を施す画像処理手段をさらに備えたことを特徴とする請求項５から７いずれか１項記載の原稿読取装置。
【発明の詳細な説明】
【技術分野】
【０００１】
本発明は、イメージセンサにより原稿を読み取る原稿読取方法および装置に関するものである。
【背景技術】
【０００２】
従来、家庭用スキャナ付きカードプリンタが提案されている。この家庭用スキャナ付きカードプリンタを使用すれば、ユーザは、年賀状、家の中で装飾するカードなど、作成するカードの目的に応じて、色々な素材を集め、それを原稿台あるいはテーブルなどの平面上に並べ、スキャナによりスキャンすることによりそれらの素材が合成、印刷されたカードを作ることができる。
【０００３】
そして、上記家庭用スキャナ付きカードプリンタを使用して年賀状を作成する場合には、たとえば、ユーザは、干支のイラスト、「謹賀新年」、「あけましておめでとう」、「本年もよろしくお願い申し上げます」などの文字、年号、差出人住所氏名などの文字といった要素を合成してはがきの通信面を仕上げる。そして、１枚の紙の上にそれらの要素を直接書き込む場合もあるが、干支のイラストは市販のイラスト集などから切り取り、「謹賀新年」、「あけましておめでとう」、「本年もよろしくお願い申し上げます」などの文字は、別の紙に筆で何度か書いてみて気に入ったものを切り取り、それらのイラストと文字を台紙の上に良い塩梅に配置して、その余白に年号、差出人住所氏名などの文字を書き込む場合が多い。また、イラストや文字が書かれた台紙の上に写真を配置する場合もある。
【０００４】
ここで、従来の家庭用スキャナ付きカードプリンタにおいては、上記のように台紙の上に配置された要素をスキャナで読み取って印刷した印刷物において、台紙の上に配置されたイラスト、文字あるいは写真の紙端の影が現れないようにするための方策が施されている。その方策の１つは、イメージセンサを挟む２方向の光源によって照明することにより紙の端の影が出にくくすることである（たとえば、特許文献１参照）。もう一つは、台紙の上の紙が台紙から離れないようにするためにスキャナのステージガラスと原稿とを密着させることにより紙端の影を出にくくすることである。
【特許文献１】特公平６−４２７０５号公報
【発明の開示】
【発明が解決しようとする課題】
【０００５】
しかしながら、従来の家庭用スキャナ付きカードプリンタは、素材を自由に配置して原稿を構成すれば、それらが合成された印刷物を得られることから、上記で説明した文字、イラスト、写真などの紙片以外に、刺繍、押し花などが素材として使われることもある。これらの素材を使った場合、素材のもつ立体感がそのままプリントされたほうが好ましいと感じるユーザもいる。また、紙の素材であっても、紙を切り並べて作るちぎり絵や切り絵が素材として使用される場合には、むしろ素材のもつ立体感がそのままプリントされた方が好ましいと感じるユーザもいる。
【０００６】
したがって、刺繍、押し花、ちぎり絵、切り絵などの素材の立体感を損なわずにプリントしたいと考えるユーザにとっては、上記のように２方向の光源によって照明したり、素材をスキャナのステージガラスに押し付けたりして影が抑制されるようにすることは好ましくない。さらに、刺繍、ちぎり絵、切り絵などの素材をスキャナのステージガラスに押し付けると、ユーザが折角作ったそれらの作品が押しつぶされて、スキャンニングした後、作品そのものの質感が失われることも問題となる。
【０００７】
本発明は、上記事情に鑑み、写真、イラスト、文字などの紙の小片を並べた原稿のように、ユーザが意図していない立体的構造を原稿として使用するときには、原稿上で使用されている素材の影がでないように読み取り、刺繍、押し花、ちぎり絵、切り絵などの原稿のように、ユーザが意図している立体的構造を原稿として使用するときには、原稿上で使用されている素材の立体感をそのまま読み取ることができる原稿読取方法および装置を提供することを目的とするものである。
【課題を解決するための手段】
【０００８】
本発明の原稿読取方法は、イメージセンサにより原稿に対して光を照射してその反射光に基づいて原稿を読み取る原稿読取方法において、イメージセンサを挟む２方向（たとえば、原稿の読取方向の２方向、図１３のｙ方向の上から下に行く方向、下から上に行く方向だがこの方向に限定されない）から原稿に光を照射して読取りを行う２光源照射モードと、２方向のうちいずれか１方向のみから原稿に光を照射して読取りを行う１光源照射モードとを切り替え可能にしたことを特徴とする。
【０００９】
また、上記本発明の原稿読取方法においては、原稿とイメージセンサとの距離を大きくするとともに、１光源照射モードへの切り替えを行うようにすることができる。
【００１０】
また、１光源照射モードに切り替えられた際、さらに、２方向のうちのいずれか１方向からの光の照射を選択可能にするようにすることができる。
【００１１】
また、１光源照射モードに切り替えられた際、１光源照射モードの読取りによってイメージセンサにより取得された画像信号に、原稿の影画像に応じた影画像信号を伸ばす画像処理を施すようにすることができる。
【００１２】
本発明の原稿読取装置は、原稿を読み取るイメージセンサと、原稿に対し、イメージセンサを挟む２方向から光を照射する２つの光源とを備えた原稿読取装置において、２つの光源を用いて２方向から原稿に光を照射してイメージセンサによる読取りを行う２光源照射モードと、２つの光源のうちいずれか一方を用いて２方向のうちいずれか１方向のみから原稿に光を照射してイメージセンサによる読取りを行う１光源照射モードとを切り替え可能なモード切替手段を備えたことを特徴とする。
【００１３】
また、上記本発明の原稿読取装置においては、原稿とイメージセンサとの距離を大きくする距離変更機構をさらに備えたものとし、その距離変更機構により原稿とイメージセンサとの距離を大きくするとともに、モード切替手段による１光源照射モードへの切り替えを行うようにすることができる。
【００１４】
また、モード切替手段により１光源照射モードに切り替えられた際、上記２方向のうちのいずれか１方向からの光の照射を選択可能な照射方向選択手段をさらに備えるようにすることができる。
【００１５】
また、モード切替手段により１光源照射モードに切り替えられた際、その１光源照射モードの読取りによってイメージセンサにより取得された画像信号に、原稿の影画像に応じた影画像信号を伸ばす画像処理を施す画像処理手段をさらに備えたものとすることができる。
【発明の効果】
【００１６】
本発明の原稿読取方法および装置によれば、イメージセンサにより原稿を読み取る原稿読取方法において、イメージセンサを挟む２方向から原稿に光を照射して読取りを行う２光源照射モードと、２方向のうちいずれか１方向のみから原稿に光を照射して読取りを行う１光源照射モードとを切り替え可能にしたので、ユーザの目的に応じた読取りを行うことができる。
【００１７】
また、上記本発明の原稿読取方法および装置において、原稿とイメージセンサとの距離を大きくするとともに、１光源照射モードへの切り替えを行うようにした場合には、原稿とイメージセンサとの距離を大きくすることによってイメージセンサから遠い部分はボケ、近い部分はピントが合うことになるので、影が保存された読取りを行うことができるとともに、ボケによる立体感も得ることができる。また、原稿とイメージセンサとの距離を大きくするようにすれば、原稿が押しつぶされないので、原稿の素材として使用されるユーザが作った作品が押しつぶされて作品そのものの質感が失われることも回避することができる。
【００１８】
また、１光源照射モードに切り替えられた際、さらに、２方向のうちのいずれか１方向からの光の照射を選択可能にした場合には、ユーザが原稿の影の出方をイメージセンサの移動方向に対して対象物の前方か後方か任意に選択することができる。
【００１９】
また、１光源照射モードに切り替えられた際、１光源照射モードの読取りによってイメージセンサにより取得された画像信号に、原稿の影画像に応じた影画像信号を伸ばす画像処理を施すようした場合には、影が強調されるので、ユーザはより立体感のある画像を得ることができる。
【発明を実施するための最良の形態】
【００２０】
以下、図面を参照して本発明の原稿読取装置の第１の実施形態を用いたスキャナユニットについて詳細に説明する。図１は、本スキャナユニットの概略構成を示すブロック図である。
【００２１】
本スキャナユニット１０は、図１に示すように、読取部１１、ＡＤ変換部２０、画像補正部２５、メモリ３０、およびモード切替手段４０を備えている。
【００２２】
図２に読取部１１の詳細断面図を示す。読取部１１は、図２に示すように、読取部１１を備え、読取部１１は筐体１９に収容されている。また、筐体１９には、ステージガラス１８が設けられている。また、読取部１１には、読取部１１を図中の矢印方向に移動させる移動機構（図示省略）が設けられている。また、スキャナユニット１０には、スキャナユニット１０の各部を制御する制御部（図示省略）が設けられている。
【００２３】
読取部１１は、原稿を反射した光を光電変換して原稿を表す画像信号を出力する受光素子１２が多数配列されたイメージセンサと、原稿に向けて光を射出する第１のＬＥＤ１３，第２のＬＥＤ１４と、第１のＬＥＤ１３から射出された光を原稿に照射する第１の導光体１５と、第２のＬＥＤ１４から射出された光を原稿に照射する第２の導光体１６と、原稿から反射された光を受光素子１２まで導光するセルフォックレンズ１７とを備えている。なお、図２には、原稿１と原稿１が載置される原稿台２とを示している。原稿１は、紙面１ａと紙面１ａに貼付された写真などの立体部１ｂとからなっている。そして、図２に示すように、原稿台２に載置された原稿１にステージガラス１８が押し付けされた状態で、読取部１１が移動機構により移動させられて原稿１の読取りが行われる。
【００２４】
ＡＤ変換部２０は、読取部１１の受光素子１２から出力された画像信号をデジタル画像信号に変換するものである。
【００２５】
画像補正部２５は、ＡＤ変換部２０から出力されたデジタル画像信号に後述するゲイン補正およびシェーディング補正を施すものである。
【００２６】
メモリ３０は、画像補正部２５において補正処理の施されたデジタル画像信号を記憶するものである。
【００２７】
モード切替手段４０は、図３に示すように、モード切替スイッチ４１を備えており、図３（Ａ）〜（Ｃ）に示すように、モード切替スイッチ４１を移動させることによって前方影読取りと、影なし読取りと、後方影読取りとを切り替え可能に構成されている。前方影読取り、影なし読取りおよび後方影読取りについては、後で詳述する。
【００２８】
次に、第１の実施形態の原稿読取装置を用いたスキャナユニット１０の作用について説明する。
【００２９】
まず、図２および図４に示すように、原稿台２に原稿１が載置される。そして、図２に示すように読取部１１のステージガラス１８が原稿１上に位置するように、読取部１１が原稿１に対して押し当てられる。
【００３０】
次に、図３に示すモード切替スイッチ４１が、前方影読取り、影無し読取り、または後方影読取りのいずれかに切り替えられる。
【００３１】
ここで、モード切替スイッチ４１が、前方影読取りに切り替えられた際には、スキャナユニット１０内部の制御部（図示省略）が、前方影読取りにきりかえられた信号を取得し、制御部はその信号に基づいて、図４（Ａ）に示すように、第１のＬＥＤ１３および第２のＬＥＤ１４のうち第１のＬＥＤ１３のみから光を射出させる。そして、その光が第１の導光体１５により導光されて原稿１に照射される。なお、図４（Ａ）〜（Ｃ）においては、第１の導光体１５、第２の導光体１６およびセルフォックレンズ１７は図示省略してある。
【００３２】
そして、第１のＬＥＤ１３から射出された光が原稿１に照射された状態で、制御部からの制御信号によって、図４（Ａ）に示すように、読取部１１が移動機構により図中矢印方向に移動させられる。前方影読取りにおいては、上記のように、第１のＬＥＤ１３のみから光を照射するので、図４（Ａ）に示すように、読取部１１の移動方向に対して、前方方向に影がついた状態で読取りが行われる。
【００３３】
そして、読取部１１の移動にともなって、原稿１から反射された光がセルフォックレンズ１７により集光されて、その集光された光は受光素子１２によって受光される。そして、受光素子１２において光電変換され、受光素子１２からＡＤ変換部２０に画像信号が出力される。そして、ＡＤ変換部２０において画像信号がデジタル画像信号に変換され、ＡＤ変換部２０から出力されたデジタル画像信号に対し画像補正部２５においてゲイン補正およびシェーディング補正が施され、その補正処理済みのデジタル画像信号が画像補正部２５からからメモリ３０に出力され、メモリ３０に記憶される。
【００３４】
また、モード切替スイッチ４１が、影無し読取りに切り替えられた際には、制御部が、影無し影読取りにきりかえられた信号を取得し、制御部はその信号に基づいて、図４（Ｂ）に示すように、第１のＬＥＤ１３および第２のＬＥＤ１４の両方から光を射出させる。そして、その光がそれぞれ第１の導光体１５および第２の導光体１６により導光されて原稿１に照射される。
【００３５】
そして、第１のＬＥＤ１３および第２のＬＥＤから射出された光が原稿１に照射された状態で、制御部からの制御信号によって、図４（Ｂ）に示すように、読取部１１が移動機構により図中矢印方向に移動させられる。影無し読取りにおいては、上記のように、第１のＬＥＤ１３および第２のＬＥＤの両方から光を照射するので、図４（Ｂ）に示すように、影がつかない状態で読取りが行われる。
【００３６】
そして、読取部１１の移動にともなって、原稿１から反射された光がセルフォックレンズ１７により集光されて、その集光された光は受光素子１２によって受光される。そして、受光素子１２において光電変換され、受光素子１２からＡＤ変換部２０に画像信号が出力される。そして、ＡＤ変換部２０において画像信号がデジタル画像信号に変換され、ＡＤ変換部２０から出力されたデジタル画像信号に対し画像補正部２５においてゲイン補正およびシェーディング補正が施され、その補正処理済みのデジタル画像信号が画像補正部２５からからメモリ３０に出力され、メモリ３０に記憶される。
【００３７】
また、モード切替スイッチ４１が、後方影読取りに切り替えられた際には、制御部が、後方影読取りにきりかえられた信号を取得し、制御部はその信号に基づいて、図４（Ｃ）に示すように、第１のＬＥＤ１３および第２のＬＥＤ１４のうち第２のＬＥＤ１４のみから光を射出させる。そして、その光が第２の導光体１６により導光されて原稿１に照射される。
【００３８】
そして、第２のＬＥＤ１４から射出された光が原稿１に照射された状態で、図４（Ｃ）に示すように、読取部１１が移動機構により図中矢印方向に移動させられる。後方影読取りにおいては、上記のように、第２のＬＥＤ１４のみから光を照射するので、図４（Ｃ）に示すように、読取部１１の移動方向に対して、後方方向に影がついた状態で読取りが行われる。
【００３９】
そして、読取部１１の移動にともなって、原稿１から反射された光がセルフォックレンズ１７により集光されて、その集光された光は受光素子１２によって受光される。そして、受光素子１２において光電変換され、受光素子１２からＡＤ変換部２０に画像信号が出力される。そして、ＡＤ変換部２０において画像信号がデジタル画像信号に変換され、ＡＤ変換部２０から出力されたデジタル画像信号に対し画像補正部２５においてゲイン補正およびシェーディング補正が施され、その補正処理済みのデジタル画像信号が画像補正部２５からからメモリ３０に出力され、メモリ３０に記憶される。
【００４０】
本発明の第１の実施形態の原稿読取装置を用いたスキャナユニット１０によれば、影無し読取りと、前方影読取りおよび後方影読取りとを切り替え可能にしたので、写真、イラスト、文字などの紙の小片を並べた原稿のように、ユーザが意図していない立体的構造を原稿として使用するときには、原稿上で使用されている素材の影がでないように影無し読取りを行い、刺繍、押し花、ちぎり絵、切り絵などの原稿のように、ユーザが意図している立体的構造を原稿として使用するときには、原稿上で使用されている素材の立体感をそのまま読み取ることができるように後方影読取りまたは前方影読取りを行うようにすることができる。つまり、ユーザの目的に応じた読取りを行うことができる。
【００４１】
また、前方影読取りと後方影読取りとを選択可能にしたので、ユーザが原稿の影の出方を任意に選択することができる。
【００４２】
次に、本発明の原稿読取装置の第２の実施形態を用いたスキャナユニットについて説明する。
【００４３】
第２の実施形態の原稿読取装置は、第１の実施形態の原稿読取装置とは、モード切替手段４０の構成が異なる。
【００４４】
第２の実施形態の原稿読取装置のモード切替手段４０は、図５に示すように、２組の楕円板４２と、２組の楕円板４２をそれぞれスキャナ内部で回転可能に連結する軸４３と、軸４３に設けられた凸部４４と、フォトインターラプター４５とを備えている。そして、楕円板４２には、レバー４６が設けられている。なお、左右の軸４３は連動する構造になっており（図示省略）、ユーザにより横方向に倒すことが可能なレバー４６を倒すと２組の楕円板４２が回転する。
【００４５】
そして、図５（Ａ）および図６（Ａ）に示すように、レバー４６が横方向に倒された状態においては、上記第１の実施形態の原稿読取装置において説明した前方影読取りまたは後方影読取りのいずれかが行われる。なお、前方影読取りまたは後方影読取りのどちらを行うかは予め設定されているものとする。
【００４６】
そして、図５（Ｂ）および図６（Ｂ）に示すように、レバー４６が縦方向に立てられると、フォトインターラプター４５により凸部４４が検出され、その検出に応じて影あり読取りに切り替えられる。具体的には、検出信号が図示省略した制御部に送られる。制御部は、検出信号の有無に基づいて図４（Ａ）、（Ｃ）の動作、または図４（Ｂ）の動作を行わせる。
【００４７】
また、レバー４６を立てることにより２組の楕円板４２が回転し、スキャナユニット部１０と原稿１との距離が大きくなるように構成されている。
【００４８】
本発明の第２の実施形態の原稿読取装置を用いたスキャナユニットによれば、原稿１とスキャナユニット１０との距離を大きくするとともに、前方影読取りまたは後方影読取りへの切り替えを行うようにしたので、影が保存された読取りを行うことができるとともに、ボケによる立体感も得ることができる。また、原稿とスキャナユニット１０との距離を大きくするようにすれば、原稿１が押しつぶされないので、原稿１の素材として使用されるユーザが作った作品が押しつぶされて作品そのものの質感が失われることも回避することができる。
【００４９】
また、上記第２の実施形態の原稿読取装置においては、楕円板４２を回転させることにより原稿１とスキャナユニット１０との距離を変更するようにしたが、これに限らず、たとえば、図７および図８に示すように、スペーサ５０を設けることにより原稿１とスキャナユニット１０との距離を変更するようにしてもよい。より具体的には、スキャナユニット１０の側面に凹凸部を形成するとともに、スペーサ５０の内側に溝を設け、これらを噛み合わせる位置を変更することによって原稿１とスキャナユニット１０との距離を変更するようにしてもよい。
【００５０】
そして、さらに、上記スペーサ５０を設けるスキャナユニット１０において、図９に示すように、スキャナユニット１０に、たとえば、反射型フォトセンサや磁気センサなどからなるセンサ部５１を設けるとともに、スペーサ５０の内側に反射テープや磁気テープなどからなる反射部５２を設け、センサ部５１により反射部５２からの反射信号を検出している状態においては、前方影読取りまたは後方影読取りを行い、センサ部５１により反射部５２からの反射信号を検出していない状態においては、影無し読取りを行うようにしてもよい。
【００５１】
なお、上記第１および第２の実施形態の原稿読取装置において、前方影読取りまたは後方影読取り（以下「１灯読取り」という。）と影無し読取り（以下「２灯読取り」という。）とでは、明るさが異なるため、実際には同じ画素に対する光量による輝度値が異なることになる。したがって、１灯読取りによる画素値と２灯読取りによる輝度値とを一致させるために、画像信号のゲイン補正とシェーディング補正の補正値とを調整するようにしてもよい。その調整方法について、図１０に示すフローチャートを用いて説明する。
【００５２】
具体的には、まず、図１１に示すように、原稿台２上に白板３を載置し、読取部１１を白板３の位置まで移動させる（Ｓ１０）。次に、第１のＬＥＤ１３または第２のＬＥＤ１４のいずれか１灯を点灯させ、そのとき各受光素子１２から出力される画像信号のピーク値がＡＤ変換部２０の最大値となるように画像信号のゲインを調整する（Ｓ１１）。
【００５３】
そして、読取部１１の各受光素子１２のシェーディング補正値を計算し、その値を画像補正部２５内１灯用メモリに保存する（Ｓ１２）。
【００５４】
次に、第１のＬＥＤ１３と第２のＬＥＤ１４の２つを点灯させ、そのとき受光素子１２から出力される画像信号のピーク値がＡＤ変換部２０の最大値となるように画像信号のゲインを調整する（Ｓ１３）。
【００５５】
そして、読取部１１の各受光素子１２のシェーディング補正値を計算し、その値を画像補正部２５内２灯用メモリに保存する（Ｓ１４）。
【００５６】
そして、原稿１の読取りを開始する（Ｓ１５）。そして、原稿１の読取りが１灯読取りである場合には、１灯用メモリに記憶されたシェーディング補正値を用いてデジタル画像信号にシェーディング補正を施すようにする（Ｓ１６，Ｓ１７）。一方、原稿１の読取りが２灯読取りである場合には、２灯用メモリに記憶されたシェーディング補正値を用いてデジタル画像信号にシェーディング補正を施すようにする（Ｓ１６，Ｓ１８）。
【００５７】
次に、本発明の原稿読取装置の第３の実施形態を用いたスキャナユニットについて説明する。
【００５８】
第３の実施形態の原稿読取装置は、前方影読取りまたは後方影読取りの際、読取部１１によって読み取られた画像の影を強調することによって、立体感の程度の高い画像を得ることができるものである。
【００５９】
具体的には、第３の実施形態の原稿読取装置は、図１２に示すように、上記第１および第２の実施形態の原稿読取装置に、さらに画像処理手段６０を設けたものである。
【００６０】
画像処理手段６０は、読取部１１により取得された画像信号に、原稿の影画像に応じた影画像信号を伸ばす画像処理を施すものである。
【００６１】
以下、第３の実施形態の原稿読取装置を用いたスキャナユニットの作用について説明する。なお、以下の説明においては、読取部１１の長手方向をｘ、ｘ方向と垂直であり、読取部１１が移動する方向をｙとする。また、読取部１１によって得られる画像のｘ方向のサイズをＭ、ｙ方向のサイズをＮ（たとえば、画素数）とする。
【００６２】
第３の実施形態の原稿読取装置においては、画像処理手段６０は、後方影読取りまたは前方影読取りに切り替えられた際、まず、後方影読取りまたは前方影読取りを行って画像Ｉ１（ｘ，ｙ）を取得し、その画像Ｉ１（ｘ，ｙ）が画像処理手段６０に入力される。そして、次に、画像処理手段６０は、影無し読取りを行って画像Ｉ２（ｘ，ｙ）を取得し、その画像Ｉ２（ｘ，ｙ）が画像処理手段６０に入力される。そして、画像処理手段６０において、画像Ｉ１（ｘ，ｙ）から画像Ｉ２（ｘ，ｙ）を減じることによって影画像Ｉｓ（ｘ，ｙ）を算出する。そして、さらに、影画像Ｉｓ（ｘ，ｙ）に対し、原稿１の立体部１ｂの影ができる方向に影を伸ばす画像処理が施され、影が伸ばされた画像Ｉｓｓ（ｘ，ｙ）が取得される。そして、画像Ｉｓｓ（ｘ，ｙ）と画像Ｉ２（ｘ，ｙ）とが加算されて最終的な画像Ｉ３（ｘ，ｙ）が取得される。
【００６３】
ここで、図１３に示す原稿を後方影読取りによって読み取った際の作用について説明する。図１３の原稿は、「謹賀新年」、「本年もよろしく  東京都港区Ａ１  理想太郎」と書かれた台紙の上に厚手の紙片を１枚貼って作ったものである。図中破線で示しているのは紙片の端である。この線を境にして紙片が用紙に垂直方向に出っ張る立体構造となっている。
【００６４】
まず、後方影読取りにより、図１４（Ａ）に示すような画像Ｉ１（ｘ，ｙ）が取得される。なお、後方影読取りは、図１３に示す原稿を読取部１１により上から下に向かって読み取って行われたものとする。画像Ｉ１（ｘ，ｙ）においては、紙片の影が紙片の下方にのみ現れる。
【００６５】
そして、次に、影無し読取りが行われ、図１４（Ｂ）に示すような画像Ｉ２（ｘ，ｙ）が取得される。画像Ｉ２（ｘ，ｙ）においては、紙片の影は現れない。
【００６６】
次に、図１４（Ａ）に示す画像Ｉ１（ｘ，ｙ）から図１４（Ｂ）に示す画像Ｉ２（ｘ，ｙ）が減算され、図１４（Ｃ）に示すような影画像Ｉｓ（ｘ，ｙ）が取得される。
【００６７】
そして、図１４（Ｃ）に示す影画像に、影を伸ばす画像処理が施され、図１４（Ｄ）に示す影が伸ばされた画像Ｉｓｓ（ｘ，ｙ）が取得される。
【００６８】
そして、図１４（Ｂ）に示す画像Ｉ２（ｘ，ｙ）に図１４（Ｄ）に示す画像Ｉｓｓ（Ｄ）が加算され、図１２（Ｅ）に示すような、最終的な画像Ｉ３（ｘ，ｙ）が取得される。
【００６９】
以下に、影を伸ばす画像処理について、図１５に示すフローチャートを用いてより詳細に説明する。
【００７０】
まず、画像Ｉ１（ｘ，ｙ）から画像Ｉ２（ｘ，ｙ）が減算され、影画像Ｉｓ（ｘ，ｙ）が取得される（Ｓ１０）。
【００７１】
ステップ１：０≦ｘ＜Ｍにおいて、以下のステップ２〜３を実行する（Ｓ１１、Ｓ１９、Ｓ２０）。
【００７２】
ステップ２：Ｉｓｓ（ｘ，０）＝Ｉｓ（ｘ，０）により、画像Ｉｓｓ（ｘ，ｙ）の上端１列の初期値を代入する（Ｓ１２）
ステップ３：０＜ｙ＜Ｎにおいて、以下のステップ４を実行する（Ｓ１２、Ｓ１７、Ｓ１８）。
【００７３】
ステップ４：Ｗ＝Ｉｓｓ（ｘ，ｙ−１）×αを算出する（Ｓ１３）。ＷとＩｓ（ｘ，ｙ）とを比較し（Ｓ１４）、Ｗの方が小さいならば、Ｉｓｓ（ｘ，ｙ）にＩｓ（ｘ，ｙ）を代入し（Ｓ１５）、Ｗの方が大きいか或いは等しいならば、Ｉｓｓ（ｘ，ｙ）にＷを代入する（Ｓ１６）。
【００７４】
なお、αは影をどの程度伸ばすかを決める乗数であり、０＜α＜１の範囲である。αを大きくすると影の伸びは長くなり、αを小さくすると影の伸びは短くなる。αをユーザが任意に選択できるようにしてもよい。
【００７５】
次に、上記ステップにより影が伸ばされるプロセスを図により説明する。図１６の画像は、図１４（Ｃ）の影画像と同じものである。この影画像を線ＡＢに沿って縦に切り出して得られるｙ方向の画像プロファイルを図１７（Ａ）に示す。上記ステップにより図１７（Ａ）に示すプロファイルは、図１７（Ｂ）に示すプロファイルに変換される。
【００７６】
また、図１８に、画像Ｉ１（ｘ，ｙ）、画像Ｉ２（ｘ，ｙ）の一例、およびこの画像Ｉ１（ｘ，ｙ）と画像Ｉ２（ｘ，ｙ）とを用いて図１５に示すフローチャートを実行して取得される画像Ｉｓ（ｘ，ｙ）、画像Ｉｓｓ（ｘ，ｙ）とを示す。
【００７７】
なお、上記第３の実施形態の原稿読取装置においては、後方影読取りまたは前方影読取りと影無し読取りとを両方行い、これらの読取りによって得られた画像を減算して影画像Ｉｓ（ｘ，ｙ）を取得し、その影画像Ｉｓ（ｘ，ｙ）を延ばす処理を行うようにしたが、必ずしも後方影読取りまたは前方影読取りと影無し読取りとを両方行う必要はなく、たとえば、影無し読取りを行わずに後方影読取りまたは前方影読取りのみを行って画像Ｉ１（ｘ，ｙ）を得、その画像Ｉ１（ｘ，ｙ）に対して、影の部分を延ばす処理を施すようにしてもよい。
【００７８】
また、上記実施形態の原稿読取装置において、たとえば、画像処理手段６０は、影無し読取りを行って影無し画像を得るとともに、前方影読取りおよび後方影読取りを行って前方影読取り画像と後方影読取り画像とをそれぞれ取得し、影無し画像から前方影読取り画像を減算して前方影画像を取得するとともに、影無し画像から後方影読取り画像を減算して後方影画像を取得し、前方影画像の方が後方影画像よりも影の量が多い場合には、前方影読取り画像を１灯読取り画像として取得し、後方影画像の方が前方影画像よりも影の量が多い場合には、後方影読取り画像を１灯読取り画像として取得することによって、後方影読取り画像または前方影読取り画像のいずれかを１灯読取り画像として自動的に選択するようにしてもよい。
【図面の簡単な説明】
【００７９】
【図１】本発明の原稿読取装置の第１の実施形態の概略構成を示すブロック図
【図２】読取部の詳細断面図
【図３】モード切替スイッチを示す図
【図４】前方影読取り、後方影読取りおよび影無し読取りを説明するための図
【図５】本発明の原稿読取装置の第２の実施形態の概略構成図
【図６】本発明の原稿読取装置の第２の実施形態の一部拡大図
【図７】原稿と読取部との距離を変更する機構の一実施形態の概略構成図
【図８】原稿と読取部との距離を変更する機構の一実施形態の概略構成図
【図９】影無し読取りと前方影読取りまたは後方影読取りとを切り替えるための機構の一実施形態を示す図
【図１０】１灯読取りの画素値と２灯読取りの画素値とを一致させるための調整方法を説明するためのフローチャート
【図１１】１灯読取りの画素値と２灯読取りの画素値とを一致させるための調整方法を説明するための図
【図１２】本発明の原稿読取装置の第３の実施形態の概略構成を示すブロック図
【図１３】原稿の一例を示す図
【図１４】（Ａ）後方影読取りによって得られた画像を示す図（Ｂ）影無し読取りによって得られた画像を示す図（Ｃ）影画像を示す図（Ｄ）影を伸ばした画像を示す図（Ｅ）最終画像を示す図
【図１５】影を伸ばす画像処理を説明するためのフローチャート
【図１６】影画像を示す図
【図１７】（Ａ）図１６に示す影画像を線ＡＢに沿って縦に切り出して得られる画像プロファイル（Ｂ）図１６に示す影画像を伸ばしたときの画像プロファイル
【図１８】後方影読取り画像Ｉ１（ｘ，ｙ）、影無し読取り画像Ｉ２（ｘ，ｙ）、影画像Ｉｓ（ｘ，ｙ）および影を伸ばした画像Ｉｓｓ（ｘ，ｙ）の一例を示す図
【符号の説明】
【００８０】
１      原稿
１ａ    紙面
１ｂ    立体部
２      原稿台
３      白板
１０    スキャナユニット
１１    読取部
１２    受光素子（イメージセンサ）
１３    第１のＬＥＤ（光源）
１４    第２のＬＥＤ（光源）
１５    第１の導光体
１６    第２の導光体
１７    セルフォックレンズ
１８    ステージガラス
２０    ＡＤ変換部
２５    画像補正部
３０    メモリ
４０    モード切替手段
４１    モード切替スイッチ
４２    楕円板
４３    軸
４４    凸部
４５    フォトインターラプター
４６    レバー
５０    スペーサ
５１    センサ部
５２    反射部
６０    画像処理手段
【図１】
2007318206.tif 000003
【図２】
2007318206.tif 000004
【図３】
2007318206.tif 000005
【図４】
2007318206.tif 000006
【図５】
2007318206.tif 000007
【図６】
2007318206.tif 000008
【図７】
2007318206.tif 000009
【図８】
2007318206.tif 000010
【図９】
2007318206.tif 000011
【図１０】
2007318206.tif 000012
【図１１】
2007318206.tif 000013
【図１２】
2007318206.tif 000014
【図１３】
2007318206.tif 000015
【図１４】
2007318206.tif 000016
【図１５】
2007318206.tif 000017
【図１６】
2007318206.tif 000018
【図１７】
2007318206.tif 000019
【図１８】
2007318206.tif 000020